(57)【要約】【課題】既設構造物の外側に補強用帯状鉄板を内包する補強用コンクリート打設空間を形成する型枠構造において、型枠板の支持、位置決め強度を高める。【解決手段】コンクリート打設空間１７内に配置される帯状鉄板Ｐの両側辺に側面コ形の金具１を嵌合させ、両金具１のセパレーター挿通部に連結用セパレーターＳ１を挿通させ、両金具１から外側へ突出する連結用セパレーターＳ１の両端螺軸部に長ナットＮ１，Ｎ２を螺合締結して連結用セパレーターＳ１を帯状鉄板Ｐに固定し、連結用セパレーターＳ１の端部に長ナットＮ１のネジ孔を利用して延長用セパレーターＳ４を同心状に螺合連結し、両金具１のそれぞれには、連結用セパレーターＳ１に対し直角向きに設けられたネジ孔を利用して直角向きセパレーターＳ２，Ｓ３を螺合連結し、これら延長用セパレーターＳ４と直角向きセパレーターＳ２，Ｓ３により、型枠板１４〜１６を位置決めする構成。【選択図】図２
2007327321.tif 000002
【特許請求の範囲】
【請求項１】
コンクリート打設空間内に配置される帯状鉄板の両側辺に側面コ形の金具を嵌合させ、両金具のセパレーター挿通部に、前記帯状鉄板の両側辺間を横断する向きの連結用セパレーターを挿通させ、両金具のセパレーター挿通部から外側へ突出する連結用セパレーターの両端螺軸部に長ナットを螺合締結して前記連結用セパレーターを帯状鉄板に固定し、前記連結用セパレーターの端部に前記長ナットのネジ孔を利用して延長用セパレーターを同心状に螺合連結し、前記両金具のそれぞれには、前記連結用セパレーターの長さ方向に対し直角向きに設けられたネジ孔を利用して直角向きセパレーターを螺合連結し、これら延長用セパレーターと直角向きセパレーターにより、前記コンクリート打設空間を形成する型枠板を位置決めして成る、型枠構造。
【請求項２】
前記両金具のネジ孔は、これら金具が嵌合する帯状鉄板の側面に対向する位置に設けられ、両金具のセパレーター挿通部に挿通された連結用セパレーターが、前記帯状鉄板の側面と前記ネジ孔との間に位置し、前記ネジ孔に螺合締結された直角向きセパレーターの内端と前記帯状鉄板の側面との間で前記連結用セパレーターが挟持されている、請求項１に記載の型枠構造。
【発明の詳細な説明】
【技術分野】
【０００１】
本発明は、既設建物における柱や梁などの既設構造物を補強する補強用構造物を増設するためのコンクリート型枠構造に関するものである。
【背景技術】
【０００２】
既設建物における柱や梁などの既設構造物を補強する一つの方法として、特許文献を開示することはできないが、既設構造物の長さ方向と平行な補強用帯状鉄板を、既設構造物に打ち込んだアンカーに固着する方法などで既設構造物の側面から適当間隔を隔てて配設し、この補強用帯状鉄板を内包するように既設構造物の側面に沿って補強用コンクリート構造物を増設する補強方法が提案されている。
【発明の開示】
【発明が解決しようとする課題】
【０００３】
上記のような既設構造物の補強方法を実施する場合、前記補強用帯状鉄板を内包するコンクリート打設空間を既設構造物の側面に沿って形成する必要がある。このコンクリート打設空間は、当該コンクリート打設空間を取り囲むように配置した型枠板を補強用帯状鉄板に対し位置決めすることにより構成しなければならない。このため、既設構造物に対し定位置に固定されている補強用帯状鉄板と型枠板とをセパレーターで連結しなければならないが、このときの補強用帯状鉄板に対するセパレーターの結合手段としては、鉄骨に対するセパレーターの結合手段として従来周知の方法である溶接方法やクランプ金具利用の方法が考えられる。溶接方法では、溶接技術者を要することからコスト高になり、クランプ金具利用の方法では、帯状鉄板の側辺に嵌合させて締結用ボルトで固定するコ形クランプ金具が利用されるが、帯状鉄板に対するクランプ金具の嵌合方向とは直角向きに当該クランプ金具にネジ結合されるセパレーターの帯状鉄板に対する結合強度は十分となるが、帯状鉄板に対するクランプ金具の嵌合方向と平行な向きに当該クランプ金具にネジ結合されるセパレーターの帯状鉄板に対する結合強度は、クランプ金具の締結用ボルト先端と帯状鉄板表面との間の滑り方向の摩擦抵抗に頼ることになるので、コンクリート打設時に型枠板を外側に押し広げる大きな内圧に対し十分ではなく、型枠強度の低下の原因となる。
【課題を解決するための手段】
【０００４】
本発明は上記のような従来の問題点を解消し得る型枠構造を提供することを目的とするものであって、その構成を後述する実施形態の参照符号を付して示すと、コンクリート打設空間１７内に配置される帯状鉄板Ｐの両側辺に側面コ形の金具１を嵌合させ、両金具１のセパレーター挿通部１９に、前記帯状鉄板Ｐの両側辺間を横断する向きの連結用セパレーターＳ１を挿通させ、両金具１のセパレーター挿通部１９から外側へ突出する連結用セパレーターＳ１の両端螺軸部Ｓ１ａ，Ｓ１ｂに長ナットＮ１，Ｎ２を螺合締結して前記連結用セパレーターＳ１を帯状鉄板Ｐに固定し、前記連結用セパレーターＳ１の端部に前記長ナットＮ１（Ｎ２）のネジ孔を利用して延長用セパレーターＳ４（Ｓ５）を同心状に螺合連結し、前記両金具１のそれぞれには、前記連結用セパレーターＳ１の長さ方向に対し直角向きに設けられたネジ孔８を利用して直角向きセパレーターＳ２，Ｓ３を螺合連結し、これら延長用セパレーターＳ４（Ｓ５）と直角向きセパレーターＳ２，Ｓ３により、前記コンクリート打設空間１７を形成する型枠板１４〜１６を位置決めする構成となっている。
【０００５】
上記構成の本発明を実施するについて、具体的には請求項２に記載のように、前記両金具１のネジ孔８は、これら金具１が嵌合する帯状鉄板Ｐの側面に対向する位置に設け、両金具１のセパレーター挿通部１９に挿通された連結用セパレーターＳ１が、前記帯状鉄板Ｐの側面と前記ネジ孔８と間に位置するように構成し、前記ネジ孔８に螺合締結された直角向きセパレーターＳ２，Ｓ３の内端と前記帯状鉄板Ｐの側面との間で前記連結用セパレーターＳ１を挟持させることができる。
【発明の効果】
【０００６】
上記構成の本発明に係る型枠構造によれば、帯状鉄板の両側辺に嵌合させた一対の側面コ形の金具は、帯状鉄板の両側辺間を横断する向きの連結用セパレーターを、その両端螺軸部に螺合締結させた長ナットを介して当該帯状鉄板に所定の向きで固定する手段として機能しており、当該連結用セパレーターの端部に長ナットのネジ孔を利用して同心状に連結される延長用セパレーターに帯状鉄板から引き離す向きに作用する軸方向外力は、前記一対の金具の内、当該外力の作用方向とは反対側の金具に、この金具を帯状鉄板側辺に嵌合させる方向に作用することになる。従って、帯状鉄板の側面に押圧する締結用ボルトで固定された１つの金具に前記延長用セパレーターをネジ結合させる場合と比較して、帯状鉄板に対する前記延長用セパレーターの取付け強度、即ち、延長用セパレーターを帯状鉄板から引き離す向きに作用する軸方向外力に対する抵抗力が著しく増大する。この結果、前記延長用セパレーターで位置決めされる、帯状鉄板の板厚方向と平行な向きの型枠板の支持強度を著しく増大させることができ、当該型枠板にコンクリート打設時に外向きに作用する甚大な内圧に対し、当該型枠板を十分に持ちこたえさせることができる。
【０００７】
又、金具を帯状鉄板に固定するための締結用ボルトが必須要件ではなくなり、金具自体の大幅なコストダウンを図ることもできる。しかも帯状鉄板の側面に対面する側に配置される型枠板は、当然に当該帯状鉄板の巾よりも広巾となるが、本発明の型枠構造では帯状鉄板の巾方向の両側辺に金具が取り付けられ、両金具のネジ孔を利用して帯状鉄板両側辺それぞれに取り付けられた直角向きセパレーターにより、帯状鉄板と平行向きの巾広の型枠板を位置決めできるので、帯状鉄板両側辺に嵌合する２つの金具を有効利用して帯状鉄板と平行向きの巾広の型枠板も強固に位置決めすることができる。
【０００８】
尚、請求項２に記載の構成によれば、帯状鉄板の両側辺に嵌合される一対の金具それぞれに必要なセパレーター挿通部は、帯状鉄板の側辺に嵌合された金具のネジ孔が形成される部分とこれに対面する帯状鉄板側面、及び当該金具を構成する左右両側板部とで囲まれた空間とすることができ、帯状鉄板に対し前記ネジ孔のある側とは反対側で当該金具にセパレーター挿通部を形成する場合と比較して、金具の構造が簡単になり、本発明を容易に実施することができる。
【発明を実施するための最良の形態】
【０００９】
以下に本発明の具体的実施例を添付図に基づいて説明すると、１はセパレーター取付け金具であって、天板部２と左右両側板部３ａ，３ｂとから構成されている。左右両側板部３ａ，３ｂには、その前側辺４ａから切り込み形成された凹入部５が設けられ、この各凹入部５の天板部２から遠い側の下辺に、当該凹入部５に嵌合する補強用帯状鉄板Ｐの一側面（以下、内側面という）Ｐａを前記天板部２と平行な姿勢で支持する受け部６が設けられると共に、当該各凹入部５の天板部２に近い側の上辺には、当該凹入部５に嵌合する補強用帯状鉄板Ｐの他側面（以下、外側面という）Ｐｂに弾性変形を伴って圧接する係止用舌片部７が一体形成されている。
【００１０】
この実施形態での係止用舌片部７は、左右両側板部３ａ，３ｂの前側辺４ａに隣接する位置において、凹入部５の上辺から下辺側に向かって斜め後方に延出するもので、その下側辺７ａは側面視において斜め下向きに傾斜する形状となっている。
【００１１】
天板部２には、凹入部５に嵌合する補強用帯状鉄板Ｐの外側面Ｐｂに対向する位置で貫通ネジ孔８が設けられている。この実施形態での貫通ネジ孔８は、天板部２に上向きに形成したバーリング孔に対するネジ溝加工で構成されている。又、左右両側板部３ａ，３ｂには、天板部２に近い位置で内側へ突出する縦長の突出部９ａ，９ｂがプレス加工により一体形成されている。両突出部９ａ，９ｂ間の間隔は、貫通ネジ孔８の直径より若干大きく、左右両側板部３ａ，３ｂの内面間の間隔は、貫通ネジ孔８を形成するバーリング孔の立ち上がり筒状部８ａの外径と略同一である。
【００１２】
上記構成のセパレーター取付け金具１を利用して構成する本発明の補強用型枠構造を説明すると、図２において、１０は柱や梁などの鉄筋コンクリート又は鉄筋鉄骨コンクリート製の既設構造物であって、その補強側の側面１０ａから適当距離だけ離れた位置に、当該側面１０ａと平行に前記補強用帯状鉄板Ｐが配設されている。この補強用帯状鉄板Ｐは、アンカー１１を利用して既設構造物１０に結合されている。取付け金具１は、補強用帯状鉄板Ｐの左右両側辺に互いに相対向するように取り付けられる。
【００１３】
即ち、図４に示すように、天板部２が補強用帯状鉄板Ｐの外側（既設構造物１１のある側とは反対側）に位置する向きで取付け金具１を、その凹入部５を介して補強用帯状鉄板Ｐの側辺に外嵌させる。このとき、図２及び図４に示すように、左右一対の係止用舌片部７が補強用帯状鉄板Ｐの外側面Ｐｂによって天板部２側へ弾性変形して当該係止用舌片部７の先端が補強用帯状鉄板Ｐの外側面Ｐｂに圧接し、その反力で凹入部５の下辺の受け部６が補強用帯状鉄板Ｐの内側面Ｐａに押し付けられ、天板部２が補強用帯状鉄板Ｐと平行になる姿勢で取付け金具１が当該補強用帯状鉄板Ｐに固定されるように、凹入部５の下辺受け部６と上辺係止用舌片部７との間の間隔が取付け対象の補強用帯状鉄板Ｐの板厚に合わせて設定されている。
【００１４】
上記の要領で補強用帯状鉄板Ｐの左右両側辺に互いに対向する状態で取付け金具１を取り付けたならば、両取付け金具１の外側面（左右両側板部３ａ，３ｂの後側辺４ｂ）間の距離より適当長さだけ長く設定された連結用セパレーターＳ１を、両取付け金具１の左右両側板部３ａ，３ｂと天板部２及び補強用帯状鉄板Ｐの外側面Ｐｂで囲まれた空間で形成されたセパレーター挿通部１９内に挿通し、両端の螺軸部Ｓ１ａ，Ｓ１ｂを両取付け金具１から突出させる。このとき連結用セパレーターＳ１の両端近傍部分が各取付け金具１の左右両側板部３ａ，３ｂから内側に突出する縦長突出部９ａ，９ｂ間に挟まれ、当該連結用セパレーターＳ１が各取付け金具１の左右両側板部３ａ，３ｂ間の中央位置に位置決めされる。係る状態の連結用セパレーターＳ１の両端螺軸部Ｓ１ａ，Ｓ１ｂにそれぞれ長ナットＮ１，Ｎ２を螺嵌し、各長ナットＮ１，Ｎ２を各取付け金具１の左右両側板部３ａ，３ｂの後側辺４ｂに圧接させることにより、連結用セパレーターＳ１を軸方向に関して位置決めする。
【００１５】
次に、各取付け金具１の貫通ネジ孔８に所定長さの直角向きセパレーターＳ２，Ｓ３の内端螺軸部Ｓ２ａ，Ｓ３ａを螺合締結し、当該直角向きセパレーターＳ２，Ｓ３の先端で連結用セパレーターＳ１の両端近傍部分を補強用帯状鉄板Ｐの外側面Ｐｂに押圧固定する。このとき、先に説明したように連結用セパレーターＳ１は、各取付け金具１の縦長突出部９ａ，９ｂにより左右両側板部３ａ，３ｂ間の中央位置に位置決めされているので、直角向きセパレーターＳ２，Ｓ３の先端は確実に連結用セパレーターＳ１の軸心上を押圧することになる。この直角向きセパレーターＳ２，Ｓ３の螺合締結により、両取付け金具１と連結用セパレーターＳ１とを補強用帯状鉄板Ｐに強固に固定したならば、連結用セパレーターＳ１の両端に結合されている各長ナットＮ１，Ｎ２の外側半分の領域にそれぞれ所定長さの延長用セパレーターＳ４，Ｓ５の内端螺軸部Ｓ４ａ，Ｓ５ａを螺合結合する。
【００１６】
以上のようにして補強用帯状鉄板Ｐの左右両側辺に、当該補強用帯状鉄板Ｐの左右両側辺間を横断する向きの連結用セパレーターＳ１に対し直角向きの左右一対の直角向きセパレーターＳ２，Ｓ３と、連結用セパレーターＳ１の端部に同心状に連結された左右一対の延長用セパレーターＳ４，Ｓ５とを取り付けたならば、図２に示すように、各セパレーターＳ２〜Ｓ５の外端螺軸部Ｓ２ｂ〜Ｓ５ｂに、型枠板受け座金１２や型枠締結金具１３などを利用する従来周知の要領で型枠板１４〜１６を取り付け、これら型枠板１４〜１６により、既設構造物１０の外側に前記補強用帯状鉄板Ｐを内包するコンクリート打設空間１７を形成する補強用型枠１８を構築することができる。勿論、図示省略しているが、コンクリート打設空間１７内には補強用帯状鉄板Ｐを取り囲むフープ筋、その他の鉄筋を必要に応じて配筋することができる。
【図面の簡単な説明】
【００１７】
【図１】Ａ図はセパレーター取付け金具の斜視図、Ｂ図はその使用状態の詳細を示す横断平面図である。
【図２】セパレーター取付け金具を使用して構成した本発明の補強用型枠構造を示す横断平面図である。
【図３】図１ＢのＡ−Ａ線断面図である。
【図４】セパレーター取付け金具を補強用帯状鉄板の側辺に仮止めした状態を示す横断平面図である。
【図５】Ａ図は上記セパレーター取付け金具の正面図、Ｂ図は図４のＢ−Ｂ線断面図である。
【符号の説明】
【００１８】
１    セパレーター取付け金具
２    天板部
３ａ，３ｂ    左右両側板部
４ａ    左右両側板部の前側辺
４ｂ    左右両側板部の後側辺
５    凹入部
６    受け部
７    係止用舌片部
８    貫通ネジ孔
９ａ，９ｂ    縦長の突出部
１０    既設構造物
１１    アンカー
１２    型枠板受け座金
１３    型枠締結金具
１４〜１６    型枠板
１７    コンクリート打設空間
１８    補強用型枠
１９    セパレーター挿通部
Ｎ１，Ｎ２    長ナット
Ｐ    補強用帯状鉄板
Ｐａ    補強用帯状鉄板の内側面
Ｐｂ    補強用帯状鉄板の外側面
Ｓ１    連結用セパレーター
Ｓ２，Ｓ３    直角向きセパレーター
Ｓ４，Ｓ５    延長用セパレーター
【図１】
2007327321.tif 000003
【図２】
2007327321.tif 000004
【図３】
2007327321.tif 000005
【図４】
2007327321.tif 000006
【図５】
2007327321.tif 000007